(57)【要約】  本発明の映像表示装置は、投写面に映像を投写する投写レンズと、投写レンズの前方を覆う開閉自在なレンズカバーと、を有する映像表示装置であって、投写レンズのフォーカス調整を行うフォーカス調整制御部と、レンズカバーの開閉状態を検知してフォーカス調整制御部へ通知する開閉検知部と、を有し、フォーカス調整制御部は、開閉検知部によりレンズカバーが閉じられたことが通知されている場合にはフォーカス調整を停止する。
2011089684.tif 000002
【特許請求の範囲】
【請求項１】
投写面に映像を投写する投写レンズと、前記投写レンズの前方を覆う開閉自在なレンズカバーと、を有する映像表示装置であって、
前記投写レンズのフォーカス調整を行うフォーカス調整制御部と、
前記レンズカバーの開閉状態を検知して前記フォーカス調整制御部へ通知する開閉検知部と、を有し、
前記フォーカス調整制御部は、前記開閉検知部により前記レンズカバーが閉じられたことが通知されている場合にはフォーカス調整を停止することを特徴とする映像表示装置。
【請求項２】
請求項１記載の映像表示装置において、
前記フォーカス調整制御部は、前記開閉検知部により前記レンズカバーが開かれたことが通知されている場合にはフォーカス調整を行うことを特徴とする映像表示装置。
【請求項３】
請求項１記載の映像表示装置において、
前記フォーカス調整制御部は、前記開閉検知部により前記レンズカバーが開かれたことが通知された後、一定時間経過後に、フォーカス調整を行うことを特徴とする映像表示装置。
【請求項４】
請求項２または３記載の映像表示装置において、
前記映像表示装置が静止状態にあるかを検出して前記フォーカス調整制御部へ通知する傾きセンサを更に備え、
前記フォーカス調整制御部は、前記傾きセンサからの通知に基づき、前記映像表示装置が静止しているか否かを判定し、静止していると判定した後に、フォーカス調整を行うことを特徴とする映像表示装置。
【請求項５】
投写面に映像を投写する投写レンズと、前記投写レンズの前方を覆う開閉自在なレンズカバーと、前記投写レンズのフォーカス調整を行うフォーカス調整制御部と、前記レンズカバーの開閉状態を検知して前記フォーカス調整制御部へ通知する開閉検知部と、を有する映像表示装置の制御方法であって、
前記フォーカス調整制御部は、前記開閉検知部により前記レンズカバーが閉じられていることが通知されている場合にはフォーカス調整を停止し、前記開閉検知部により前記レンズカバーが開かれていることが通知されている場合にのみフォーカス調整を行うことを特徴とする映像表示装置の制御方法。
【請求項６】
請求項５記載の映像表示装置の制御方法において、
前記フォーカス調整制御部は、前記開閉検知部により前記レンズカバーが開かれていることが通知されると、一定時間経過した後に、フォーカス調整を行うことを特徴とする映像表示装置の制御方法。
【請求項７】
請求項５または６記載の映像表示装置の制御方法において、
前記フォーカス調整制御部は、前記映像表示装置が静止状態にあるかを検出する傾きセンサからの通知に基づき、前記映像表示装置が静止しているか否かを判定し、静止していると判定した後に、フォーカス調整を行うことを特徴とする映像表示装置の制御方法。
【発明の詳細な説明】
【技術分野】
【０００１】
本発明は、投写レンズと投写レンズの前方を覆う開閉自在なレンズカバーとを有する映像表示装置およびその制御方法に関する。
【背景技術】
【０００２】
映像表示装置の一つであるプロジェクターでは、ユーザーの使いやすさを向上させるために、投写レンズのフォーカスを自動的に調整するオートフォーカス機能を備えるものや、投写レンズの前方を覆う開閉自在なレンズカバーを備えるものがある。【０００３】
例えば、特許文献１（特開２００７−３２２７９１号公報）に開示されるような、オートフォーカス機能を有するプロジェクターでは、プロジェクターから投写スクリーンまでの距離に基づき自動的にフォーカス調整が行われるため、ユーザーがフォーカス調整を行う必要が無く、手間がかからない。【０００４】
また、レンズカバーを備えるプロジェクターでは、レンズカバーを閉じることで投写スクリーンへの映像の投写を中断させるレンズカバー機能などを有するものが多く存在する。この種のプロジェクターでは、会議中等に一時的に映像の投写を中断したいときには、プロジェクターの電源を切ることなく、レンズカバーを閉じるだけでよい。投写を再開するときには、レンズカバーを開くだけでよく、光源部を再点灯させて映像が投写されるまで待つ必要がない。
【先行技術文献】
【特許文献】
【０００５】
【特許文献１】特開２００７−３２２７９１号公報
【発明の概要】
【発明が解決しようとする課題】
【０００６】
しかしながら、会議の休憩時間等に、オートフォーカス機能およびレンズカバー機能を有するプロジェクターのレンズカバーが閉じられ、映像の投写が中断された場合、プロジェクターと投写スクリーンとの間を人が頻繁に通ることが考えられる。このとき、オートフォーカス機能により、プロジェクターと投写スクリーンとの間を通る人を投写スクリーンと誤検出し、意図しないときにフォーカス調整が行われることがあるという課題がある。特に、フォーカス調整にモーターが使用される場合には、モーター制御音が発生するため、意図しないフォーカス調整が行われると、ユーザーにとって耳障りとなる。【０００７】
本発明の目的は、上述した課題を解決することができる映像表示装置およびその制御方法を提供することにある。
【課題を解決するための手段】
【０００８】
上記目的を達成するために本発明の映像表示装置は、
投写面に映像を投写する投写レンズと、前記投写レンズの前方を覆う開閉自在なレンズカバーと、を有する映像表示装置であって、
前記投写レンズのフォーカス調整を行うフォーカス調整制御部と、
前記レンズカバーの開閉状態を検知して前記フォーカス調整制御部へ通知する開閉検知部と、を有し、
前記フォーカス調整制御部は、前記開閉検知部により前記レンズカバーが閉じられたことが通知されている場合にはフォーカス調整を停止する。【０００９】
上記目的を達成するために本発明の映像表示装置の制御方法は、
投写面に映像を投写する投写レンズと、前記投写レンズの前方を覆う開閉自在なレンズカバーと、前記投写レンズのフォーカス調整を行うフォーカス調整制御部と、前記レンズカバーの開閉状態を検知して前記フォーカス調整制御部へ通知する開閉検知部と、を有する映像表示装置の制御方法であって、
前記フォーカス調整制御部は、前記開閉検知部により前記レンズカバーが閉じられていることが通知されている場合にはフォーカス調整を停止し、前記開閉検知部により前記レンズカバーが開かれていることが通知されている場合にのみフォーカス調整を行う。
【発明の効果】
【００１０】
本発明によれば、映像表示装置は、投写レンズの前方を覆うレンズカバーの開閉を検知し、レンズカバーが閉じられている場合、フォーカス調整を停止する。【００１１】
そのため、レンズカバーが閉じられ、映像の投写が行われない場合に、意図しないフォーカス調整が行われることを防ぐことができる。
【図面の簡単な説明】
【００１２】
【図１】本発明による第１の実施形態のプロジェクターの構成を示すブロック図である。
【図２】図１に示すプロジェクターの動作の一例を示すフローチャートである。
【図３】本発明による第２の実施形態のプロジェクターの構成を示すブロック図である。
【図４】図３に示すプロジェクターの動作の一例を示すフローチャートである。
【発明を実施するための形態】
【００１３】
以下に、本発明を実施するための形態について図面を参照して説明する。
【００１４】
（第１の実施形態）
図１は、本発明による第１の実施形態のプロジェクターの構成を示すブロック図である。
【００１５】
図１に示すプロジェクター１００は、中央制御部１１０と、映像信号入力部１２０と、画像制御部１３０と、光学エンジン部１４０と、投写レンズ１５０と、レンズカバー開閉検知部１６０と、レンズカバー１６１と、測距部１７０と、測距センサ１７１と、フォーカス調整制御部１８０と、フォーカス調整部１９０と、を有する。
【００１６】
また、光学エンジン部１４０は、画像形成素子１４１と、光源部１４２と、を有する。なお、画像形成素子１４１は、例えば、一般的な構成を備える透過型液晶パネルであるため、詳細な説明を省略する。
【００１７】
中央制御部１１０は、プロジェクター１００全体の動作を制御し、例えば、映像信号入力部１２０に映像信号を入力したり、光源部１４２を点灯させたりする。
【００１８】
映像信号入力部１２０は、中央制御部１１０から映像信号が入力されると、その映像信号を画像制御部１３０に出力する。
【００１９】
画像制御部１３０は、映像信号入力部１２０から出力された映像信号を制御して画像形成素子１４１にて画像を形成する。
【００２０】
光源部１４２は、画像形成素子１４１を照明する光を出力する。
【００２１】
投写レンズ１５０は、光源部１４２からの光により照明された画像形成素子１４１に形成された画像を拡大して投写スクリーン２００に投写する。なお、例えば、投写レンズ１５０の位置をモーターにより移動させることで、フォーカス調整が可能である。
【００２２】
レンズカバー開閉検知部１６０は、投写レンズ１５０の前方を覆う開閉自在なレンズカバー１６１の開閉状態を検知してフォーカス調整制御部１８０へ通知する。
【００２３】
測距部１７０は、測距センサ１７１を用いてプロジェクター１００から投写スクリーン２００までの距離を連続的に計測し、計測した距離を示す距離情報をフォーカス調整制御部１８０に出力する。
【００２４】
フォーカス調整制御部１８０は、測距部１７０から出力された距離情報に基づき、例えば、フォーカスが合う位置まで投写レンズ１５０を移動させるのに必要なモーターの動作などを判別し、その動作を行うようにフォーカス調整部１９０に指示する。なお、フォーカス調整制御部１８０は、レンズカバー開閉検知部１６０からレンズカバー１６１が閉じられたことが通知されている場合、フォーカス調整を停止する。
【００２５】
フォーカス調整部１９０は、例えば、モーターなどであり、フォーカス調整制御部１８０からの指示に従い、投写レンズ１５０のフォーカスを調整する。
【００２６】
次に、プロジェクター１００の動作について説明する。
【００２７】
図２は、プロジェクター１００の動作の一例を示すフローチャートである。
【００２８】
プロジェクター１００が映像の投写を開始すると、フォーカス調整制御部１８０は、フォーカス調整を開始する。次に、レンズカバー開閉検知部１６０は、レンズカバー１６１の開閉状態の検知を開始し（ステップＳ１１）、レンズカバー１６１が閉じられたか否かを判定する（ステップＳ１２）。
【００２９】
レンズカバー１６１が閉じられていない場合（ステップＳ１２：ＮＯ）、レンズカバー開閉検知部１６０は、その旨をフォーカス調整制御部１８０へ通知し、ステップＳ１２の動作を繰り返す。一方、レンズカバー１６１が閉じられた場合（ステップＳ１２：ＹＥＳ）、レンズカバー開閉検知部１６０は、その旨をフォーカス調整制御部１８０へ通知し、フォーカス調整制御部１８０は、レンズカバー開閉検知部１６０からの通知を受けて、オートフォーカス動作を停止する（ステップＳ１３）。
【００３０】
次に、レンズカバー開閉検知部１６０は、レンズカバー１６１が開かれたか否かを判定する（ステップＳ１４）。
【００３１】
レンズカバー１６１が開かれていない場合（ステップＳ１４：ＮＯ）、レンズカバー開閉検知部１６０は、その旨をフォーカス調整制御部１８０へ通知し、ステップＳ１４の動作を繰り返す。一方、レンズカバー１６１が開かれた場合、レンズカバー開閉検知部１６０は、その旨をフォーカス調整制御部１８０へ通知し、フォーカス調整制御部１８０は、レンズカバー開閉検知部１６０からの通知を受けた後、一定時間待ってから（ステップＳ１５）、フォーカス調整を行い（ステップＳ１６）、オートフォーカス動作を再開する（ステップＳ１７）。
【００３２】
ここで、レンズカバー１６１の開閉の際には、プロジェクター１００の設置位置のずれや微動が生じることがあるため、フォーカス調整制御部１８０は、レンズカバー１６１が開かれた旨の通知を受けた後、一定時間待ち、設置位置のずれや微動が収まった後、フォーカス調整を行う。こうすることで、安定した映像を投写スクリーン２００に投射することができる。
【００３３】
このように本実施形態によれば、プロジェクター１００は、レンズカバー１６１の開閉状態を検知し、レンズカバー１６１が閉じられている場合、フォーカス調整を停止する。
【００３４】
そのため、レンズカバー１６１が閉じられ、映像の投写が中断された場合に、意図しないフォーカス調整が行われることを防ぐことができる。
【００３５】
（第２の実施形態）
図３は、本発明による第２の実施形態のプロジェクターの構成を示すブロック図である。なお、図３において、図１と同様の構成については同じ符号を付し、その説明を省略する。
【００３６】
図３に示すプロジェクター３００は、第１の実施形態のプロジェクター１００と比較して、傾きセンサ３１０を設けた点と、フォーカス調整制御部１８０をフォーカス調整制御部３２０に変更した点と、が異なる。
【００３７】
傾きセンサ３１０は、設置位置のずれや微動などのプロジェクター３００自体の動きを検出してフォーカス調整制御部３２０へ通知する。
【００３８】
フォーカス調整制御部３２０は、停止していたオートフォーカス動作を再開する場合に、傾きセンサ３１０からの通知に基づき、プロジェクター３００が静止しているか否かを判定し、静止していると判定した後、フォーカス調整を行う。
【００３９】
次に、プロジェクター３００の動作について説明する。
【００４０】
図４は、プロジェクター３００の動作の一例を示すフローチャートである。なお、図４において、図２と同様の動作ステップについては同じ符号を付し、その説明を省略する。
【００４１】
レンズカバー１６１が開かれた場合（ステップＳ１４：ＹＥＳ）、フォーカス調整制御部３２０は、傾きセンサ３１０から通知される設置位置のずれや微動の検出結果に基づき、プロジェクター３００が静止しているか否かを判定する（ステップＳ２１）。
【００４２】
プロジェクター３００が静止していないと判定した場合（ステップＳ２１：ＮＯ）、フォーカス調整制御部３２０は、ステップＳ２１の動作を繰り返す。一方、プロジェクター３００が静止していると判定した場合（ステップＳ２１：ＹＥＳ）、フォーカス調整制御部３２０は、フォーカス調整を行う（ステップＳ１６）。
【００４３】
このように本実施形態によれば、プロジェクター３００は、停止していたオートフォーカス動作を再開する場合に、自装置が静止しているか否かを判定し、静止していると判定した後、フォーカス調整を行う。
【００４４】
そのため、レンズカバー１６１の開閉によるプロジェクター３００の設置位置のずれや微動が収まった後、フォーカス調整を行うので、安定した映像を投写スクリーン２００に投写することができる。
【００４５】
なお、プロジェクター３００は、レンズカバー１６１が開かれたことが通知された後、第１の実施形態のように一定時間待った後に、傾きセンサ３１０からの通知に基づき、自装置が静止しているか否かを判定し、静止していると判定した場合、フォーカス調整を行うようにすることも可能である。
【００４６】
以上、実施形態を参照して本願発明を説明したが、本発明は上記実施形態に限定されるものではない。本願発明の構成や詳細には、本願発明のスコープ内で当業者が理解し得る様々な変更をすることができる。
【図１】
2011089684.tif 000003
【図２】
2011089684.tif 000004
【図３】
2011089684.tif 000005
【図４】
2011089684.tif 000006
【国際調査報告】
2011089684.tif 000007
2011089684.tif 000008